(57)【特許請求の範囲】
【請求項１】
紙幣投入機に投入された紙幣を遊技台に沿って搬送する搬送通路部と、
前記搬送通路部の先端に搬送方向に摺動自在なジョイント部材と、
駆動歯車を介して駆動モータの回動を隣接する紙幣搬送装置に伝達する伝動機構と、を備えて成る紙幣搬送装置に於いて、
前記伝動機構は、前記ジョイント部材にあって、駆動シャフトに固定され前記駆動歯車と噛合する主動ギヤと主動プーリと、従動シャフトに固定された従動プーリと、
前記搬送通路部にあって、プーリシャフトに固定された受動プーリと、
前記主動プーリと従動プーリ及び受動プーリとに巻架し旋回駆動する伝動ベルトと、
前記受動プーリを巻架した伝動ベルトを挟持するように設けたガイドローラと、から成り、
前記ジョイント部材を摺動することによって搬送通路全体の長さを調整可能とすると共に、伝動ベルトがジョイント部材と平行な一直線上に位置するよう常に一定に張力され、駆動モータを有する紙幣搬送装置に連動して順次複数の紙幣搬送装置を駆動するようにしたことを特徴とする紙幣搬送装置。
【発明の詳細な説明】
【０００１】
【発明の属する技術分野】
本発明は、複数の紙幣投入機から投入された紙幣を回収部へ搬送する紙幣搬送装置に関する。
【０００２】
【従来の技術】
従来より、複数のパチンコ台やスロットマシン等の遊技台に設けられる紙幣投入機からの紙幣を、遊技台列の一端に設けた回収部へと搬送する紙幣搬送装置が広く提案されている。
【０００３】
ここで、図６，図７を参照して、従来の紙幣搬送装置を説明すると、１台の遊技台７０の幅と略同程度の長さを有し、紙幣をそれの肉厚方向から狭持して搬送する搬送機構１２０と、これらを駆動する駆動機構（駆動モータ１４０）が設けられた合流搬送駆動部１１０とから構成された紙幣搬送装置１００を、直線状に次々と接続して、遊技台列７０に沿った方向に伸びる搬送通路Ｌを形成して設置される。このため、各紙幣投入機８０に投入された紙幣は、この搬送通路Ｌを上流側から下流側に向けて搬送され、回収部２００に収納堆積される。
【０００４】
【発明が解決しようとする課題】
しかして、遊技台及び紙幣投入機の幅は機種，メーカーによって、また、取付けに際しては（横方向長さ）遊技店によって異なるため紙幣搬送装置の長さもこれに応じて製作しなければならず、このことは、長さの異なる紙幣搬送装置を多種用意しなければならないものであった。また、遊技台を別種のものに交換するに当たっては、その寸法（幅）により紙幣搬送装置の交換も余儀なくされるものであった。
【０００５】
また、上記紙幣搬送装置はその構成上、紙幣搬送装置毎に駆動機構（駆動モータ）を必要とし、必然的に装置全体が高価なものとなり、加えて多数の駆動モータにより、消費電力量が多くかかることによる経費アップ、騒音問題、製品の重量化、モータ故障による信頼性の低下といった幾種類の不都合を生じるものであった。
【０００６】
本発明は、極めて容易に遊技台及び紙幣投入機、更には設置条件による異なる横方向（幅）長さでも対応できると共に、駆動モータに係るコスト，消費電力，その他問題の低減を図った紙幣搬送装置を提供することを目的とする。
【０００７】
上記課題に鑑み、本発明にかかる紙幣搬送装置は、紙幣投入機に投入された紙幣を遊技台に沿って搬送する搬送通路部と、前記搬送通路部の先端に搬送方向に摺動自在なジョイント部材と、駆動歯車を介して駆動モータの回動を隣接する紙幣搬送装置に伝達する伝動機構と、を備えて成る紙幣搬送装置に於いて、前記伝動機構は、前記ジョイント部材にあって、駆動シャフトに固定され前記駆動歯車と噛合する主動ギヤと主動プーリと、従動シャフトに固定された従動プーリと、前記搬送通路部にあって、プーリシャフトに固定された受動プーリと、前記主動プーリと従動プーリ及び受動プーリとに巻架し旋回駆動する伝動ベルトと、前記受動プーリを巻架した伝動ベルトを挟持するように設けたガイドローラと、から成り、前記ジョイント部材を摺動することによって搬送通路全体の長さを調整可能とすると共に、伝動ベルトがジョイント部材と平行な一直線上に位置するよう常に一定に張力され、駆動モータを有する紙幣搬送装置に連動して順次複数の紙幣搬送装置を駆動するようにした。
【０００８】
このような構成によれば、遊技台及び紙幣投入機の横方向の長さに対応してジョイント部材を摺動させるといった極めて簡単な作業によって、搬送通路部の全体の長さを調整し、隣りの紙幣搬送装置に連結するため、連結部において隙間を生じることがなく紙幣の受渡し（搬送）が行われると共に、該ジョイント部材に隣接する紙幣搬送装置と伝動機構で連動しているため、複数の紙幣搬送装置を１つの駆動モータで紙幣の回収を行わせることができるようにした。
【０００９】
【発明の実施の形態】
以下、本発明の実施の形態を図面に基づいて詳述する。
図１は、紙幣投入機からの紙幣を紙幣収納部へ搬送する一実施例としての紙幣搬送装置を複数連結した全体構成を示す図である。
実施例の紙幣搬送装置１は、合流搬送駆動部１０と搬送通路部２０とから構成されていて、搬送通路部２０の先端にはジョイント部材３０が取り付けられている。そして前記紙幣搬送装置１を複数連結して遊技島内に設置される紙幣搬送装置全体が構成される。
【００１０】
図１に示すように、各紙幣搬送装置１，１…は、遊技台７列の背面側に配置され、合流搬送駆動部１０の両側の紙幣投入機８に投入された紙幣Ｓ２を受け入れられる位置になるように配置され、ジョイント部材３０を介して隣りの紙幣搬送装置１に連結する。
【００１１】
合流搬送駆動部１０は、上流側の紙幣搬送装置１から送り出された紙幣Ｓ１、並びに紙幣投入機８に投入された紙幣Ｓ２を取り込んで搬送通路部２０へ搬送するものであって、第１の受入ガイド部材１２、第２の受入ガイド部材１３が固定されている。
【００１２】
第１の受入ガイド部材１２は、上流側の紙幣搬送装置１からの紙幣Ｓ１を受け入れてガイドする第１の通路Ａを形成するための第１通路形成板１２ａと、この第１通路形成板１２ａの中間部において連設された、側方の紙幣投入機８からの紙幣Ｓ２を受け入れてガイドする第２の通路Ｂを形成するための、湾曲した第２通路形成板１２ｂとを備えている。
【００１３】
第２の受入ガイド部材１３は、第１の受入ガイド部材１２の第２通路形成板１２ｂに沿って湾曲した通路形成板１３ｂを備えている。
【００１４】
このように、第１の受入ガイド部材１２の第１通路形成板１２ａとによって、上流側の紙幣搬送装置１からの紙幣Ｓ１を受け入れてガイドする第１の通路Ａが形成され、第１の受入ガイド部材１２の第２通路形成板１２ｂと、第２の受入ガイド部材１３の通路形成板１３ｂとによって、紙幣投入機８からの紙幣Ｓ２を受け入れてガイドする第２の通路Ｂが形成されている。
【００１５】
合流搬送駆動部１０の下面と上面の間には駆動軸１７が垂直方向に回転自在に取り付けられており、その下端に歯車１７ａが固定されていて、駆動モータ１４の駆動軸１４ａに固定された歯車１４ｂと噛み合って、駆動モータ１４の回転が駆動軸１７に伝達される。
【００１６】
また、前記合流搬送駆動部１０の下面と上面の間には、同様に垂直に２つの従動軸１８，１９が回転自在に取り付けられていて、合流搬送駆動部１０の上面上方において、駆動軸１７と従動軸１８は互いに噛み合った同一歯数の歯車１７c，１８ｃが固定されていて、従動軸１８は逆方向に同一速度で回転する。また、従動軸１９は、従動軸１８，１９に固定されたプーリ１８ａ，１９ａに装着されたベルト１１によって従動軸１８と同一方向に同一速度で回転する。尚、従動軸１９の下端には後述する駆動歯車１９ｃが固定されている。
【００１７】
駆動軸１７には、第２の通路Ｂの第２の受入ガイド部材１３の通路形成板１３ｂより僅かに外方に位置していて、その上下方向の中間部に駆動プーリ１５ａが第２の通路Ｂ内に突出した状態で固定されている。そして、駆動プーリ１５ａには、搬送通路部２０にあって、複数のプーリ２２間に架け渡される無端ベルト２１が装着されている。
【００１８】
また、前記駆動軸１７と同様に従動軸１８には、第２の通路Ｂの第２の受入ガイド部材１３の通路形成板１３ｂより僅かに外方に位置していて、駆動軸１７の駆動プーリ１５ａと同一高さに第２の通路Ｂに突出した状態で取込プーリ１５ｂが固定されている。取込プーリ１５ｂには、上下方向の中央において環状溝を有し、この環状溝にゴムなどの摩擦体からなる無端リング１５ｄが取り付けられている。
【００１９】
従動軸１９は、合流搬送駆動部１０の上流側に位置し、中間部に取込プーリ１５ｃが固定されている。取込プーリ１５ｃには、前記従動軸１８の取込プーリ１５ｂと同様の無端リング１５ｅが外方に突出した状態で取り付けられていて、第１の通路Ａ内に突出している。そして、無端リング１５ｅに対向して送りローラ１９ｈが回転自在に取り付けられている。これにより、上流側の紙幣搬送装置１から搬送された紙幣Ｓ１は、第１の通路Ａにおいて取込プーリ１５ｃの無端リング１５ｅと送りローラ１５ｈとの間に挟持されて取り込まれる。
【００２０】
前記駆動プーリ１５ａの無端ベルト２１及び取込プーリ１５ｂの無端リング１５ｄに対向して、送りローラ１５ｆ，１５ｇが回転自在に圧接されている。このことにより、紙幣投入機８から第２の通路Ｂへ送り出された紙幣Ｓ２は挟持搬送され、取り込みが確実となる。
【００２１】
搬送通路部２０の一側に沿って、且つその上下方向の中間部に複数のプーリ２２，２２…が回転自在に取り付けられていて、前記合流搬送駆動部１０における駆動軸１７の駆動プーリ１５ａ及びテンションプーリ１６と、該プーリ２２とに、前記無端ベルト２１か架け渡されている。また、前記搬送通路部２０の他側には、圧接ローラ２３，２３…が回転自在に、且つプーリ２２側へ付勢されて取り付けられている。このため、合流搬送駆動部１０から送り出された紙幣は厚さ方向から無端ベルト２１と圧接ローラ２３に挟持されてスムーズに下流側に搬送される。
【００２２】
通路搬送部２０の下流側の端部には、ジョイント部材３０が摺動自在に取り付けられていて、このジョイント部材３０を長手方向に摺動することによって下流側の紙幣搬送装置１との連結長さの調整ができる。
【００２３】
ジョイント部材３０には、紙幣検出センサ４０である対向する１対の投光器４１と受光器４２が取り付けられている。この紙幣検出センサ４０は、紙幣搬送装置１の搬送通路Ｌにおける紙幣搬送状態を監視するものであって、紙幣検出センサ４０が紙幣Ｓ１を検出すると、前記紙幣投入機８に投入された紙幣Ｓ２は、紙幣Ｓ１が通過する迄の時間、第１の通路Ａの進入を阻止する（一時待機される）。このことは、紙幣を１枚１枚重ならず搬送することで紙幣計数を確かなものにするためのものである。
【００２４】
このようにジョイント部材３０に紙幣検出センサ４０を取り付けると、隣り合う紙幣投入機８，８…の間隔が異なっても、その間隔に応じてジョイント部材３０を摺動させるから、上流側から送られて来る紙幣Ｓ１は常に一定の距離で検出され、紙幣投入機８からの紙幣Ｓ２の待機を常に一定で行うことができる。
【００２５】
更に、このジョイント部材３０の下面には、前記駆動モータ１４の回動を上流側の紙幣搬送装置１に伝達する駆動歯車１９ｃに連動して駆動を伝達するギヤ及びベルトなどの伝動機構５０を備えている。この伝動機構５０について図４，図５を参照して説明する。図４は、伝動機構５０を上面側から見た図である。
【００２６】
伝動機構５０には、駆動歯車１９ｃと噛合する主動ギヤ５１が設けられている。主動ギヤ５１は、ジョイント部材３０の下流側端に設けられた駆動シャフト５１ａに固定され、これにより、駆動シャフト５１ａに駆動歯車１９ｃの回動が伝達される。
【００２７】
前記駆動シャフト５１ａには主動プーリ５２が設けられ、主動プーリ５２及びジョイント部材３０の上流側端に設けられた従動シャフト５３ａに固定された従動プーリ５３と、搬送通路部２０のプーリシャフト２４に固定された受動プーリ５４とに、駆動歯車１９ｃにより旋回駆動される伝動ベルト５５が巻架されている。
【００２８】
この伝動ベルト５５は、ジョイント部材３０の摺動に伴って移動した場合にも、前記主動プーリ５２，従動プーリ５３及び受動プーリ５４に巻架されるように且つ、この状態での伝動ベルト５５の長さ・張力が所定の範囲内となるように構成されている。
【００２９】
この場合、主動ギヤ５１（主動プーリ５２）の位置によらず伝動ベルト５５の巻き架け長さが不変となるように構成する。本実施形態では、主動プーリ５２と受動プーリ５４との間、及び従動プーリ５３と受動プーリ５４との間にそれぞれガイドローラ５６，５７を設け、主動プーリ５２とガイドローラ５６との間における伝動ベルト５５、及び従動プーリ５３とガイドローラ５７との間における伝動ベルト５５が、主動プーリ５２及び従動プーリ５３の移動（即ち、ジョイント部材３０の移動）と平行な一直線上に位置するようにしている。
【００３０】
よって、図４に示すように、駆動モータ１４を有する紙幣搬送装置１の駆動歯車１９ｄに連動して駆動する紙幣搬送装置１を順次、上流側に設けて一連の搬送通路Ｌを形成する。
【発明の効果】
以上説明したように、本発明の紙幣搬送装置においては、ジョイント部材を摺動することによって搬送通路部の長さを調整自在としたので、遊技台や紙幣投入機によって異なる幅や、それらの設置条件にも柔軟に対応することができると共に、ジョイント部材を摺動しても、伝動ベルトの張力は変化せずに、伝動機構によって隣接する紙幣搬送装置と連動する。このため、複数連結して遊技島内に設置する駆動モータ付紙幣搬送装置は１台又は複数台で足りる効果は、コストを初めとする種々の問題を軽減する。
【図面の簡単な説明】
【図１】本発明の紙幣搬送装置を複数連結した全体構成を示す概略平面図である。
【図２】合流搬送駆動部を示す説明図である。
【図３】合流搬送駆動部を示す平面図である。
【図４】本発明の紙幣搬送装置の内部を示す平面図である。
【図５】図４における側面図である。
【図６】従来の紙幣搬送装置の内部を示す平面図である。
【図７】図６における側面図である。
【符号の説明】
１    紙幣搬送装置
１０    合流搬送駆動部
２０    搬送通路部
３０    ジョイント部材
４０    紙幣検出センサ
５０    伝動機構
５１    主動ギヤ
５２    主動プーリ
５３    従動プーリ
５４    受動プーリ
５５    伝動ベルト
５６，５７    ガイドローラ
【図１】
0003978358.tif 000002
【図２】
0003978358.tif 000003
【図３】
0003978358.tif 000004
【図４】
0003978358.tif 000005
【図５】
0003978358.tif 000006
【図６】
0003978358.tif 000007
【図７】
0003978358.tif 000008